(57)【要約】【課題】液晶テレビの応答性の検査を自動的に精度よく行うことができるようにする。【解決手段】光電変換素子２は、液晶テレビ１の画像の光出力を電気信号に変換し、Ａ／Ｄ変換器４によってその電気信号をデジタル値に変換する。トリガ発生器は、Ａ／Ｄ変換器４を動作させるタイミングを制御する。そしてＡ／Ｄ変換器４の動作によって変換されたデジタル値をメモリ５に記憶する。演算器６は、メモリ５に記憶されたデジタル値を用いて、液晶テレビの応答性の良否判定情報を定量的に自動演算し、ディスプレイ７に表示させる。ここでは、映像信号発生器８により液晶テレビ１に白画像と黒画像を切り替えて表示させ、演算器６は、画像表示が白から黒に変わる部分のデジタル値を抽出し、最小二乗法により直線近似を行なって、得られた近似直線の傾きを計算し、その傾きの値から液晶テレビ表示の応答性の良否情報を定量的に自動演算する。【選択図】図１
2005316049.tif 000002
【特許請求の範囲】
【請求項１】
液晶テレビの画像の光出力を電気信号に変換する光電変換素子と、該光電変換素子にて変換された電気信号をデジタル値に変換するデジタル変換手段と、該デジタル変換手段を動作させるタイミングを制御するトリガ発生手段と、該デジタル変換手段の動作によって変換されたデジタル値を記憶するメモリ手段と、該メモリ手段に記憶されたデジタル値を用いて、前記液晶テレビの応答性の良否判定情報を定量的に自動演算する演算手段とを有し、前記液晶テレビの良否を自動判定する際、前記液晶テレビに白画像と黒画像を切り替えて表示させ、前記演算手段は、液晶テレビの表示が白から黒に変わる部分のデジタル値を抽出し、抽出したデジタル値から最小二乗法により直線近似を行ない、得られた近似直線の傾きを計算し、得られた傾きの値から液晶テレビ表示の応答性の良否情報を定量的に自動演算することを特徴とする液晶テレビの表示応答性の検査装置。
【請求項２】
請求項１に記載の液晶テレビの表示応答性の検査装置において、前記演算装置によって得られた液晶テレビの応答性の良否情報を表示するための表示手段を有することを特徴とする液晶テレビの表示応答性の検査装置。
【請求項３】
請求項１または２に記載の液晶テレビの表示応答性の検査装置において、前記液晶テレビに白画像と黒画像とを切り替えて表示させるための信号を発生する信号発生器を有することを特徴とする液晶テレビの表示応答性の検査装置。
【請求項４】
液晶テレビの画像の光出力を電気信号に変換する光電変換ステップと、所定のタイミングで発生するトリガに従って、前記光電変換ステップにて変換された電気信号をデジタル値に変換するデジタル変換ステップと、該デジタル変換ステップによって変換されたデジタル値を記憶するメモリステップと、該メモリステップで記憶されたデジタル値を用いて、前記液晶テレビの応答性の良否判定情報を定量的に自動演算する演算ステップとを有し、前記液晶テレビの良否を自動判定する際、前記演算ステップは、前記液晶テレビに白画像と黒画像を切り替えて表示させ、液晶テレビの表示が白から黒に変わる部分のデジタル値を抽出し、抽出したデジタル値から最小二乗法により直線近似を行ない、得られた近似直線の傾きを計算し、得られた傾きの値から液晶テレビ表示の応答性の良否情報を定量的に自動演算することを特徴とする液晶テレビの表示応答性の検査方法。
【請求項５】
請求項４に記載の液晶テレビの表示応答性の検査方法において、前記演算ステップによって得られた液晶テレビの応答性の良否情報を表示するための表示ステップを有することを特徴とする液晶テレビの表示応答性の検査方法。
【発明の詳細な説明】
【技術分野】
【０００１】
本発明は、例えば液晶テレビの生産工程において、液晶テレビ表示の応答性の良否を自動判定する検査装置及び方法に関する。
【背景技術】
【０００２】
液晶テレビの表示応答性の検査において、従来は振り子などの動画を液晶テレビに表示させ、その動画の表示状態を目視にて検査していた。例えば、液晶テレビの応答性が悪い場合、動いている振り子の後方に残像が残り、線を引いたようになることから、この残像の残り具合（線の長さ）を目視にて判定することにより、液晶テレビの応答性の検査を行っていた。このような目視による検査では、判定の基準があいまいであり、また検査の良否を検査員の主観に頼らざるを得ないため、精度の良い検査が困難であった。
【０００３】
また、例えば特許文献１には、液晶表示セルの応答特性を自動的に測定して、最適な駆動速度を得るための階調駆動方法を試験する液晶試験装置が開示されている。
図６は、上記特許文献１に記載された液晶試験装置の全体構成を示す図である。ＣＰＵ１４は、応答速度測定試験に際して、被試験用液晶表示セル１１の諧調制御を行う液晶駆動制御信号に設定する各種諧調制御方法の制御パターンを変更させるためのデータを設定し、ＬＣＤ駆動装置１２内の液晶駆動制御部１３に出力し、環境試験槽１０内の環境温度を設定するための環境温度設定信号を生成し、環境試験槽１０に出力して環境温度を変化させ、被試験用液晶表示セル１１に対して所望の試験環境温度が得られるようにするため、環境温度設定過程を制御し、また、測定データ管理プログラムに従って被試験用液晶表示セル１１の応答速度測定結果レポートや特性グラフ等を出力する処理を実行するものである。
【特許文献１】特開平８−５９７４号公報
【発明の開示】
【発明が解決しようとする課題】
【０００４】
上記のように、液晶テレビの応答性の検査においては、精度よく容易に応答性の自動判定を行うシステムが提供されていない。
また、上述の特許文献１の発明は、液晶表示セルの最適な諧調駆動制御方法を得ることを課題とし、上述のような応答性の検査を精度よく容易に自動判定するという課題とは異なる課題を解決するものである。また、特許文献１の発明は、環境試験槽の制御等が必要で装置が大掛かりになり、簡便な構成で応答性検査を行うようにした装置を開示するものではない。また、測定データのばらつき等にも対処できるように、簡単な測定で精度よく検査を行うようにするための手段は明示されていない。
【０００５】
本発明は、上述のごとき実情に鑑みてなされたものであって、液晶テレビの応答性の検査を自動的に精度よく行うことができるようにした液晶テレビの表示応答性の検査装置及び検査方法を提供することを目的とするものである。
【課題を解決するための手段】
【０００６】
上記課題を解決するために、第１の技術手段は、液晶テレビの画像の光出力を電気信号に変換する光電変換素子と、光電変換素子にて変換された電気信号をデジタル値に変換するデジタル変換手段と、デジタル変換手段を動作させるタイミングを制御するトリガ発生手段と、デジタル変換手段の動作によって変換されたデジタル値を記憶するメモリ手段と、メモリ手段に記憶されたデジタル値を用いて、液晶テレビの応答性の良否判定情報を定量的に自動演算する演算手段とを有し、液晶テレビの良否を自動判定する際、液晶テレビに白画像と黒画像を切り替えて表示させ、演算手段は、液晶テレビの表示が白から黒に変わる部分のデジタル値を抽出し、抽出したデジタル値から最小二乗法により直線近似を行ない、得られた近似直線の傾きを計算し、得られた傾きの値から液晶テレビ表示の応答性の良否情報を定量的に自動演算することを特徴としたものである。
【０００７】
第２の技術手段は、第１の技術手段において、演算装置によって得られた液晶テレビの応答性の良否情報を表示するための表示手段を有することを特徴としたものである。
【０００８】
第３の技術手段は、第１または第２の技術手段において、液晶テレビに白画像と黒画像とを切り替えて表示させるための信号を発生する信号発生器を有することを特徴としたものである。
【０００９】
第４の技術手段は、液晶テレビの画像の光出力を電気信号に変換する光電変換ステップと、所定のタイミングで発生するトリガに従って、光電変換ステップにて変換された電気信号をデジタル値に変換するデジタル変換ステップと、デジタル変換ステップによって変換されたデジタル値を記憶するメモリステップと、メモリステップで記憶されたデジタル値を用いて、液晶テレビの応答性の良否判定情報を定量的に自動演算する演算ステップとを有し、液晶テレビの良否を自動判定する際、演算ステップは、液晶テレビに白画像と黒画像を切り替えて表示させ、液晶テレビの表示が白から黒に変わる部分のデジタル値を抽出し、抽出したデジタル値から最小二乗法により直線近似を行ない、得られた近似直線の傾きを計算し、得られた傾きの値から液晶テレビ表示の応答性の良否情報を定量的に自動演算することを特徴としたものである。
【００１０】
第５の技術手段は、第４の技術手段において、演算ステップによって得られた液晶テレビの応答性の良否情報を表示するための表示ステップを有することを特徴としたものである。
【発明の効果】
【００１１】
本発明によれば、液晶テレビの表示応答性の検査において、液晶テレビ表示の白から黒への変化具合を演算によって数値化できるので、液晶テレビの表示応答性検査を自動化することができ、精度の良い良否判定を容易に行うことができるようになる。また、この数値化には近似を用いるので、測定データのばらつきにも強く、精度のよい判定結果が得られる。
【発明を実施するための最良の形態】
【００１２】
図１は、本発明に係る液晶テレビの表示応答性の検査装置の一実施形態を示すブロック図である。本実施形態の検査装置は、液晶テレビ画面に白、黒画像を切替えて表示させ、液晶テレビ画面の白から黒への変化具合を直線近似し、その直線の傾きの大きさ（値）から液晶テレビ表示の応答性を判定し、その良否を自動判定することができるようにしたものである。
【００１３】
まず、液晶テレビ１には、映像信号発生器８より白ラスタの信号が送られ画面に表示される。液晶テレビ１の画面の輝度は、光電変換素子２によって電気信号に変換され、Ａ／Ｄ変換器４によってデジタル値に変換されてメモリ５に格納される。またトリガ発生器３は、一定の時間、一定の間隔でＡ／Ｄ変換器４を動作させるもので、上記の画面輝度のデジタルデータへの変換動作は、トリガ発生器３により一定間隔で一定時間繰り返され、デジタルデータ列としてメモリ５に格納される。演算器６は、メモリ５に格納されたデジタルデータ列の最小値を計算し、この最小値をメモリ５に格納する。説明の為この格納された最小値を白ラスタ輝度閾値と呼ぶ。
【００１４】
次に上記のような液晶テレビ１の画面の輝度を光電変換素子２によって電気信号に変換し、トリガ発生器３により一定時間、一定間隔で、Ａ／Ｄ変換器４によってデジタル値に変換してメモリ５に格納する動作を行いながら、映像信号発生器８により液晶テレビ１に黒ラスタ画像信号を送り、画面を白ラスタ画像から黒ラスタ画像に変化させる。つまりこの処理により、液晶テレビ１の表示が白ラスタ画像から黒ラスタ画像になるまでの輝度変化が、デジタルデータ列としてメモリ５に格納される。説明の為このメモリ５に格納されたデジタルデータ列を輝度変化測定データ列と呼ぶ。
【００１５】
次に十分な時間を置き液晶テレビ１の黒ラスタ画像が安定した後、画面の輝度を光電変換素子２によって電気信号に変換し、トリガ発生器３により一定時間、一定間隔でＡ／Ｄ変換器４によってデジタル値に変換し、デジタルデータ列としてメモリ５に格納する。そして演算器６は、メモリ５に格納されたこのデジタルデータ列の最大値を計算し、この最大値をメモリ５に格納する。説明の為この格納された最大値を黒ラスタ輝度閾値と呼ぶ。
【００１６】
ここまでの処理でメモリ５に格納された、白ラスタ輝度閾値，黒ラスタ輝度閾値，及び輝度変化測定データ列を、時間を横軸にとりグラフに表したものを図２に示す。
その後演算器６は、メモリ５に格納されている輝度変化測定データ列から、白ラスタ輝度閾値よりも小さく、黒ラスタ輝度閾値よりも大きいデータを抽出し、メモリ５に格納する。つまりこのメモリ５に格納された各データは、液晶テレビ１の画面が白ラスタ画像から黒ラスタ画像に変化している間の輝度データ列となる。説明の為このデータ列を抽出輝度データ列と呼ぶ。この抽出輝度データ列を、時間を横軸にとりグラフに表したものを図３に示す。そして演算器６は、メモリ５に格納された抽出輝度データ列を最小二乗法により直線近似する。この近似計算式を下記に示す。
【００１７】
【数１】
2005316049.tif 000003
【００１８】
ここで、ｎはデータ数、ｙiは抽出輝度データ列である。ｘiは測定時間のデータ列であるが、測定時間が等間隔であるので、実際の測定時間データを代入する必要はなく、ｘi＝１，２，３，…ｎという固定のデータ列を代入すればよい。ここでｘ軸のスケールを変えると、求められる近似直線の傾きの値が変わるが、本発明では傾き値を相対比較で判定する手法であるので問題はない。
【００１９】
図３に示す実施例では、抽出輝度データ列のデータ数は６個なので、ｘi＝１，２，３，４，５，６のデータ列を式（１）に代入する。そしてこの式を解くことにより、近似直線の関数式が求まる。下記にこの近似直線の関数式を示す。
ｙ＝ａ1ｘ＋ａ0                              ・・・（２）
この近似直線と抽出輝度データ列を重ね合わせたグラフを図４に示す。
【００２０】
上記関数式（２）の傾きａ1の絶対値｜ａ1｜は、液晶テレビ１の表示応答性を表わす値であり、｜ａ1｜が大きいほど応答性が良いといえ、この値から数値的に表示応答性の判定ができる。
そしてメモリ５には、予め良否判定の為の閾値が格納されており、演算器６はこの閾値と｜ａ1｜とを比較し、｜ａ1｜＞閾値ならば良、｜ａ1｜＜閾値ならば不良と判定し、判定結果をディスプレイ７に表示させる。
【００２１】
なお、図１の構成において、Ａ／Ｄ変換器４が本発明のデジタル変換手段に該当し、メモリ５が本発明のメモリ手段に該当する。また、演算器６は本発明の演算手段に該当し、ディスプレイ７が本発明の表示手段に該当する。
【００２２】
上記のごとくの処理によって、液晶テレビの表示応答性検査を自動化することができ、精度の良い良否判定を容易に行うことができるようになる。また、この数値化には近似を用いるので、測定データのばらつきにも強く、精度のよい判定結果が得られる。
【００２３】
図５は、本発明に係る液晶テレビの表示応答性の検査方法の処理例を説明するためのフローチャートである。液晶テレビの検査方法においては、まず、前記液晶テレビに白画像と黒画像を切り替えて表示させ（ステップＳ１）、このときの液晶テレビの画像の光出力を光電変換素子によって電気信号に変換する（ステップＳ２）。そしてトリガ発生手段から所定のタイミングで発生するトリガに従って、上記のステップＳ２にて変換された電気信号をデジタル値に変換し（ステップＳ３）、変換されたデジタル値をメモリに記憶する（ステップＳ４）。
【００２４】
そして、上記のメモリに記憶されたデジタル値を用いて、液晶テレビの応答性の良否判定情報を定量的に自動演算する（ステップＳ５）。ここでは、液晶テレビの表示が白から黒に変わる部分のデジタル値を抽出し、抽出したデジタル値から最小二乗法により直線近似を行ない、得られた近似直線の傾きを計算し、得られた傾きの値から液晶テレビ表示の応答性の良否情報を定量的に自動演算する。自動演算された良否判定情報は、ディスプレイ等の表示手段に表示される（ステップＳ６）。
【図面の簡単な説明】
【００２５】
【図１】本発明に係る液晶テレビの表示応答性の検査装置の一実施形態を示すブロック図である。
【図２】本発明の動作説明図であり、時間を横軸にとり、輝度変化測定データ列，白ラスタ輝度閾値，及び黒ラスタ輝度閾値をグラフに表した図である。
【図３】本発明の動作説明図であり、時間を横軸にとり、輝度変化測定データから抽出された抽出輝度データ列をグラフに表した図である。
【図４】本発明の動作説明図であり、演算器で計算された近似直線と抽出輝度データ列を重ね合わせたグラフである。
【図５】本発明に係る液晶テレビの表示応答性の検査方法の処理例を説明するためのフローチャートである。
【図６】特許文献１に記載された液晶試験装置の全体構成を示す図である。
【符号の説明】
【００２６】
１…液晶テレビ、２…光電変換素子、３…トリガ発生器、４…Ａ／Ｄ変換器、５…メモリ、６…演算器、７…ディスプレイ、８…映像信号発生器、１０…環境試験槽、１１…被試験用液晶表示セル、１２…ＬＣＤ駆動装置、１３…液晶駆動制御部、１４…ＣＰＵ。
【図１】
2005316049.tif 000004
【図２】
2005316049.tif 000005
【図３】
2005316049.tif 000006
【図４】
2005316049.tif 000007
【図５】
2005316049.tif 000008
【図６】
2005316049.tif 000009